(57)【要約】【課題】刃部材とラップ滑り止め部材の取付け作業が容易であり、かつ、ラップフィルムの切断後もラップフィルムの先端部がラップ滑り止め部に貼りつかずに次回以降ラップフィルムを容易に引き出すことができるラップケースを提供すること。【解決手段】収納ケース部１１と、蓋部１２とを備え、収納ケース部１１の幅方向前端部には、所定間隔を空けて起立した一対の起立壁部１１ａ，１１ｂが設けられ、蓋部１２の刃部材収容部１２ａには、刃部材１３の基部を支持する刃部材支持部１４と、刃部材１３がラップフィルム２１を切断する際、その先端部がラップフィルム２１に２１に接触してラップフィルム２１との間の摩摺力によりラップフィルム２１が滑ることを防止して刃部材１３によるラップフィルム２１の切断を補助する弾性体からなるラップ滑り止め部材１５とが設けられている。【選択図】図６
2016000620.tif 000002
【特許請求の範囲】
【請求項１】
合成樹脂製であって、円筒状のラップを収納する収納ケース部と、
この収納ケース部に回動可能に取り付けられ、前記収納ケース部を開閉可能に覆うと共に、引き出されたラップフィルムを切断しうる刃部材を刃部材収容部に設けた蓋部とを備え、
前記収納ケース部は、前記円筒状のラップを収納可能なように上方部が開放された箱状に形成され、前記ラップを内部で回転可能に支持して前記収納ケース部の幅方向前方へ引き出し可能に構成され、
前記収納ケース部の幅方向前端部には、所定間隔を空けて起立した一対の起立壁部が設けられ、前記蓋部を前記収納ケース部に対し回動させて閉塞した際に、その一対の起立壁部の間の隙間に前記蓋部に設けられた前記刃部材が移動して前記円筒状のラップから引き出されたラップフィルムを切断するように構成される一方、
前記蓋部は、前記円筒状のラップから引き出されたラップフィルムを前記収納ケース部が閉止する際に前記刃部材により切断できるよう前記収納ケース部の幅方向後端部に回動可能に固定され、
前記蓋部の刃部材収容部には、
前記刃部材の基部を支持する刃部材支持部と、
前記刃部材がラップフィルムを切断する際、その先端部がラップフィルムに接触してラップフィルムとの間の摩摺力によりラップフィルムが滑ることを防止して前記刃部材によるラップフィルムの切断を補助する弾性体からなるラップ滑り止め部材とが設けられていることを特徴とするラップケース。
【請求項２】
請求項１記載のラップケースにおいて、
前記蓋部の刃部材収容部における前記刃部材支持部に対向する上側面の内側には、刃部材収容部側凹部が設けられている一方、
前記刃部材支持部における前記蓋部の刃部材収容部の上側面の内側に対向する前記刃部材支持部の上側面には、前記刃部材収容部側凹部に嵌る刃部材支持部側凸部が形成されており、
前記刃部材支持部が前記蓋部の刃部材収容部に収容された際には、前記刃部材支持部の刃部材支持部側凸部が、前記蓋部の刃部材収容部の刃部材収容部側凹部に嵌ることを特徴とするラップケース。
【請求項３】
請求項１または請求項２に記載のラップケースにおいて、
前記刃部材支持部における前記ラップ滑り止め部材に対向する横側面には、刃部材支持部側凹部が形成されている一方、
前記ラップ滑り止め部材における前記刃部材支持部の横側面に対向する横側面には、前記刃部材支持部側凹部に嵌るラップ滑り止め部材側凸部が形成されており、
前記刃部材支持部と前記ラップ滑り止め部材とが前記蓋部の刃部材収容部に収容された際には、前記刃部材支持部側凹部と前記ラップ滑り止め部材側凸部とが嵌ることを特徴とするラップケース。
【請求項４】
請求項１〜請求項３のいずれか一の請求項に記載のラップケースにおいて、
前記刃部材支持部の前記ラップ滑り止め部材は、基部と、その基部よりも厚さの薄い舌片部とから構成されており、前記刃部材が前記円筒状のラップから引き出されたラップフィルムを切断する際は、前記舌片部がラップフィルムに接触して前記刃部材側に曲がり、前記舌片部の少なくとも先端部が前記収納ケース部の幅方向前端部の一対の起立壁部のうちの前記ラップ滑り止め部材側の起立壁部との間で前記ラップフィルムを挟むことを特徴とするラップケース。
【請求項５】
請求項４に記載のラップケースにおいて、
前記ラップ滑り止め部材の舌片部は、予めその基部から先端部に向かうに従って前記刃部材に近付くように傾斜した形状に形成されており、前記刃部材が前記円筒状のラップから引き出されたラップフィルムを切断する際は、前記舌片部がラップフィルムに接触して前記刃部材側に曲がり、前記舌片部の少なくとも先端部が前記収納ケース部の幅方向前端部の一対の起立壁部のうちの前記ラップ滑り止め部材側の起立壁部との間で前記ラップフィルムを挟むことを特徴とするラップケース。
【請求項６】
請求項１〜請求項５のいずれか一の請求項に記載のラップケースにおいて、
前記刃部材支持部の前記ラップ滑り止め部材は、前記刃部材よりも長く、前記蓋部を前記収納ケース部に対し回動させて前記一対の起立壁部の間の隙間に前記蓋部に設けられた前記刃部材を移動させて前記円筒状のラップから引き出されたラップフィルムを切断する際、前記刃部材支持部の先端部は、前記刃部材の先端部よりも先にラップフィルムの表面に接触するように前記刃部材の先端部よりも長く構成されているように前記刃部材の先端部よりも長く構成されていることを特徴とするラップケース。
【請求項７】
請求項１〜請求項６のいずれか一の請求項に記載のラップケースにおいて、
前記一対の起立壁部のうち少なくとも前記舌片部側の起立壁部における刃部材に対向した内側面と反対側の外側面は、下方に向かうに従い刃部材から離れるように前記舌片部に近付くように傾斜しており、
前記舌片部と前記一対の起立壁部のうち少なくとも前記舌片部側の起立壁部の外側面は、蓋部を閉めるに従ってラップフィルムを強固に挟むことを特徴とするラップケース。
【請求項８】
請求項１〜請求項７のいずれか一の請求項に記載のラップケースにおいて、
前記刃部材支持部の前記ラップ滑り止め部材は、ポリプロピレンから構成されていることを特徴とするラップケース。
【発明の詳細な説明】
【技術分野】
【０００１】
本発明は、ラップフィルムを円筒状に巻き付けられたラップを収容し、収容したラップからラップフィルムを少しずつ引き出して使用するためのラップケースに関する。
【背景技術】
【０００２】
円筒状に巻き付けられたラップを収容し少しずつ引き出して使用するためのラップケースとして、例えば、再利用可能なように合成樹脂製であって、円筒状のラップを収納する収納ケース部と、この収納ケース部に回動可能に取り付けられ、前記収納ケース部を開閉可能に覆いうると共に、引き出されたラップフィルムを切断しうる刃部材を有する蓋部とを備え、蓋部は引き出されたラップフィルムを収納ケース部を閉止する際に刃部材により切断しうるように構成したものが提案されている（例えば、特許文献１参照。）。
【先行技術文献】
【特許文献】
【０００３】
【特許文献１】特許４６８９９５３号公報
【発明の概要】
【発明が解決しようとする課題】
【０００４】
しかし、前述の特許文献１に記載されたラップケースでは、ラップフィルムを切断する刃部材を蓋部自体に直接設けるように構成しているため、刃部材の設置作業が困難であるという問題がある。
【０００５】
また、前述の特許文献１に記載されたラップケースでは、収納ケース部の前後一対の刃部収納壁部における後方の刃部収納壁部の上面部、前側面部及び後側面部に、前側面部及び後側面部の間においてラップを緊張状態で固定するラップ滑り止め部を設けているが、ラップ滑り止め部の取付け作業が困難であるという問題もある。
【０００６】
さらに、ラップフィルムの切断後には、ラップフィルムの先端部がラップ滑り止め部に貼りつくため、次回以降ラップフィルムを引き出して使用する際に、引き出し難く、使用し難いという問題もある。
【０００７】
そこで、本発明は、このような問題点に着目してなされたもので、刃部材とラップ滑り止め部材の取付け作業が容易であり、かつ、ラップフィルムの切断後もラップフィルムの先端部がラップ滑り止め部に貼りつかずに次回以降ラップフィルムを容易に引き出すことができるラップケースを提供することを目的とする。
【課題を解決するための手段】
【０００８】
前記課題を解決するため、本発明に係るラップケースは、合成樹脂製であって、円筒状のラップを収納する収納ケース部と、この収納ケース部に回動可能に取り付けられ、前記収納ケース部を開閉可能に覆うと共に、引き出されたラップフィルムを切断しうる刃部材を刃部材収容部に設けた蓋部とを備え、前記収納ケース部は、前記円筒状のラップを収納可能なように上方部が開放された箱状に形成され、前記ラップを内部で回転可能に支持して前記収納ケース部の幅方向前方へ引き出し可能に構成され、前記収納ケース部の幅方向前端部には、所定間隔を空けて起立した一対の起立壁部が設けられ、前記蓋部を前記収納ケース部に対し回動させて閉塞した際に、その一対の起立壁部の間の隙間に前記蓋部に設けられた前記刃部材が移動して前記円筒状のラップから引き出されたラップフィルムを切断するように構成される一方、前記蓋部は、前記円筒状のラップから引き出されたラップフィルムを前記収納ケース部が閉止する際に前記刃部材により切断できるよう前記収納ケース部の幅方向後端部に回動可能に固定され、前記蓋部の刃部材収容部には、前記刃部材の基部を支持する刃部材支持部と、前記刃部材がラップフィルムを切断する際、その先端部がラップフィルムに接触してラップフィルムとの間の摩摺力によりラップフィルムが滑ることを防止して前記刃部材によるラップフィルムの切断を補助する弾性体からなるラップ滑り止め部材とが設けられていることを特徴とする。
ここで、前記蓋部の刃部材収容部における前記刃部材支持部に対向する上側面の内側には、刃部材収容部側凹部が設けられている一方、前記刃部材支持部における前記蓋部の刃部材収容部の上側面の内側に対向する前記刃部材支持部の上側面には、前記刃部材収容部側凹部に嵌る刃部材支持部側凸部が形成されており、前記刃部材支持部が前記蓋部の刃部材収容部に収容された際には、前記刃部材支持部の刃部材支持部側凸部が、前記蓋部の刃部材収容部の刃部材収容部側凹部に嵌ると良い。
また、前記刃部材支持部における前記ラップ滑り止め部材に対向する横側面には、刃部材支持部側凹部が形成されている一方、前記ラップ滑り止め部材における前記刃部材支持部の横側面に対向する横側面には、前記刃部材支持部側凹部に嵌るラップ滑り止め部材側凸部が形成されており、前記刃部材支持部と前記ラップ滑り止め部材とが前記蓋部の刃部材収容部に収容された際には、前記刃部材支持部側凹部と前記ラップ滑り止め部材側凸部とが嵌るとさらに良い。
また、前記刃部材支持部の前記ラップ滑り止め部材は、基部と、その基部よりも厚さの薄い舌片部とから構成されており、前記刃部材が前記円筒状のラップから引き出されたラップフィルムを切断する際は、前記舌片部がラップフィルムに接触して前記刃部材側に曲がり、前記舌片部の少なくとも先端部が前記収納ケース部の幅方向前端部の一対の起立壁部のうちの前記ラップ滑り止め部材側の起立壁部との間で前記ラップフィルムを挟むと良い。
また、前記ラップ滑り止め部材の舌片部は、予めその基部から先端部に向かうに従って前記刃部材に近付くように傾斜した形状に形成されており、前記刃部材が前記円筒状のラップから引き出されたラップフィルムを切断する際は、前記舌片部がラップフィルムに接触して前記刃部材側に曲がり、前記舌片部の少なくとも先端部が前記収納ケース部の幅方向前端部の一対の起立壁部のうちの前記ラップ滑り止め部材側の起立壁部との間で前記ラップフィルムを挟むとさらに良い。
また、前記刃部材支持部の前記ラップ滑り止め部材は、前記刃部材よりも長く、前記蓋部を前記収納ケース部に対し回動させて前記一対の起立壁部の間の隙間に前記蓋部に設けられた前記刃部材を移動させて前記円筒状のラップから引き出されたラップフィルムを切断する際、前記刃部材支持部の先端部は、前記刃部材の先端部よりも先にラップフィルムの表面に接触するように前記刃部材の先端部よりも長く構成されているとさらに良い。
また、前記一対の起立壁部のうち少なくとも前記舌片部側の起立壁部における刃部材に対向した内側面と反対側の外側面は、下方に向かうに従い刃部材から離れるように前記舌片部に近付くように傾斜しており、前記舌片部と前記一対の起立壁部のうち少なくとも前記舌片部側の起立壁部の外側面は、蓋部を閉めるに従ってラップフィルムを強固に挟むようにするとさらに良い。
また、前記刃部材支持部の前記ラップ滑り止め部材は、ポリプロピレンから構成されているとさらに良い。
【発明の効果】
【０００９】
本発明に係るラップケースでは、蓋部の刃部材収容部には、刃部材の基部を支持する刃部材支持部と、刃部材がラップフィルムを切断する際、その先端部がラップフィルムに接触してラップフィルムとの間の摩摺力によりラップフィルムが滑ることを防止して刃部材によるラップフィルムの切断を補助する弾性体からなるラップ滑り止め部材とを設けた。
そのため、蓋部と刃部材支持部とが別体となったため、刃部材の取付けが容易になる。
また、ラップ滑り止め部材を蓋部の刃部材収容部側に設けるようにしたため、ラップ滑り止め部材の取付け作業を容易にすることができると共に、収納ケース部の起立壁部にラップ滑り止め部を設けないため、切断後のラップフィルムが起立壁部のラップ滑り止め部に貼りつくことがなくなり、次回以降でもラップフィルムを容易に引き出すことができる。
【図面の簡単な説明】
【００１０】
【図１】本実施形態のラップケースにおいて蓋部を開いた状態（ラップ無し）を示す平面図である。
【図２】本実施形態のラップケースにおいて蓋部を開いた状態（ラップ無し）を示す正面図である。
【図３】本実施形態のラップケースにおいて蓋部を開いた状態（ラップ無し）を示す平面図である。
【図４】図１におけるＡ部分の拡大平面図である。
【図５】図１におけるＢ部分の拡大平面図である。
【図６】本実施形態のラップケースにおいて蓋部を開いた状態（ラップ無し）の図１におけるＣ−Ｃ線断面図である。
【図７】本実施形態のラップケースの使用方法を示す断面図であって、ラップケースに収容したラップからラップフィルムを引き出した状態を示す断面図である。
【図８】本実施形態のラップケースの使用方法を示す断面図であって、引き出したラップフィルムを切断するため蓋部を閉じている状態（ラップフィルムに刃部材とラップ滑り止め部材とが接触していない状態）を示す断面図である。
【図９】本実施形態のラップケースの使用方法を示す断面図であって、引き出したラップフィルムを切断するため蓋部を閉じている状態（ラップフィルムに刃部材とラップ滑り止め部材とが接触した状態）を示す断面図である。
【図１０】本実施形態のラップケースの使用方法を示す断面図であって、引き出したラップフィルムを切断するため蓋部を閉じている状態（ラップフィルムに刃部材とラップ滑り止め部材とが接触した状態）における刃部材収容部の拡大断面図である。
【図１１】本実施形態のラップケースの使用方法を示す断面図であって、蓋部を閉じて引き出したラップフィルムを切断した状態を示す断面図である。
【図１２】本実施形態のラップケースの使用方法を示す断面図であって、蓋部を閉じて引き出したラップフィルムを切断した状態における刃部材収容部の拡大断面図である。
【図１３】本実施形態のラップケースの使用方法を示す断面図であって、ラップフィルムを切断後、使用するラップを引っ張った状態を示す断面図である。
【図１４】本実施形態のラップケースの使用方法を示す断面図であって、ラップフィルムを切断後、使用するラップを引っ張った状態を示す刃部材収容部の拡大断面図である。
【図１５】本実施形態のラップケースの使用方法を示す断面図であって、ラップフィルムを切断後、蓋部を開けた状態を示す断面図である。
【発明を実施するための形態】
【００１１】
以下、本発明に係るラップケースの実施の形態を、添付図面を参照しながら詳細に説明する。
【００１２】
実施形態のラップケース１は、図１〜図６に示すように、収納ケース部１１と、蓋部１２とを備えている。
【００１３】
収納ケース部１１は、例えば、ＡＢＳ樹脂等の合成樹脂製であって、円筒状のラップ２を収納するケースである。
【００１４】
収納ケース部１１は、円筒状のラップ２を収納可能なように上方部が開放された箱状に形成され、その長手方向の両側には進退自在のラップ係止部材１１ｃ，１１ｃが設けられており、収納したラップ２をラップ係止部材１１ｃ，１１ｃによって回転可能に支持して、収納ケース部１１の幅方向前方へ引き出し可能に構成している。
【００１５】
収納ケース部１１の幅方向前端部には、所定間隔を空けて起立した一対の起立壁部１１ａ，１１ｂが設けられている。
【００１６】
一対の起立壁部１１ａ，１１ｂは、蓋部１２を収納ケース部１１に対し回動させて閉塞した際に、その一対の起立壁部１１ａ，１１ｂの間の隙間に蓋部１２に設けられた後述する刃部材１３とラップ滑り止め部材１５が移動して、ラップ２から引き出されたラップフィルム２１を切断するように構成されている。
【００１７】
ここで、本実施形態のラップケース１では、一対の起立壁部１１ａ，１１ｂのうち少なくとも舌片部１５側の起立壁部１１ｂにおける刃部材１３に対向した内側面と反対側の外側面は、図６や、図１０、図１２、図１４等に示すように、下方（基部）に向かうに従い刃部材１３から離れるように外側、すなわち舌片部１５側に近付くように傾斜している。
【００１８】
そのため、舌片部１５と一対の起立壁部１１ａ，１１ｂのうち舌片部１５側の起立壁部１１ｂの外側面は、蓋部１２を閉めるに従ってラップフィルム２１を強固に挟むことになる。
【００１９】
その結果、収納ケース部１１に蓋部１２を閉めるだけで、確実にラップフィルム２１を切断することができる。
【００２０】
なお、一対の起立壁部１１ａ，１１ｂのうち刃部材収容部１２の前側面１２ａ側の起立壁部１１ａの外側面も、舌片部１５側の起立壁部１１ｂの外側面と同様に、下方（基部）に向かうに従い刃部材１３に対し離れる方向に傾斜させて、蓋部１２を閉めるに従ってラップフィルム２１を強固に挟むように構成しても良い。
【００２１】
蓋部１２は、収納ケース部１１に回動可能に取り付けられ、収納ケース部１１を開閉可能に覆うと共に、その先端側に刃部材収容部１２ａが設けられており、刃部材収容部１２ａには、刃部材支持部１４と、ラップ滑り止め部材１５とが収容される。
【００２２】
刃部材支持部１４は、ラップフィルム２１を切断する刃部材１３の基部を支持するもので、収納ケース部１１や蓋部１２と同様にＡＢＳ樹脂等の合成樹脂製であるが、収納ケース部１１や蓋部１２とは別体で構成されている。
【００２３】
そのため、蓋部１２に対する刃部材１３の取付け作業が容易になる。
【００２４】
また、ラップ滑り止め部材１５は、ポリプロピレン（ＰＰ）や、エラストマー、ゴム等の弾性素材から構成され、図６などに示すように、基部１５ａと、基部１５ａから延びる舌片部１５ｂとから構成され、刃部材１３がラップフィルム２１を切断する際、その舌片部１５ｂの先端部がラップフィルム２１に接触してラップフィルム２１との間の摩摺力と、ラップフィルム２１を収納ケース部１１の起立壁部１１ｂとの間で挟むことによりラップフィルム２１が滑ることを防止して刃部材１３によるラップフィルム２１の切断を補助するものである。
【００２５】
ここで、本実施形態のラップケース１における蓋部１２の刃部材収容部１２ａは、刃部材１３と刃部材支持部１４とラップ滑り止め部材１５とを収容できるよう、図６に示すように、上側面１２ａ１と、前側面１２ａ２と、後側面１２ａ３からなる下方が開口した断面コ字状に形成されている。
【００２６】
刃部材収容部１２ａでは、刃部材支持部１４に対向する上側面１２ａ１の内側には、刃部材収容部側凹部１２ａ１１が設けられている。
【００２７】
これに対し、蓋部１２の刃部材収容部１２ａの上側面の内側に対向する刃部材支持部１４の上側面には、刃部材収容部側凹部１２ａ１１に嵌る刃部材支持部側凸部１４ａが形成されており、図６に示すように刃部材支持部１４が蓋部１２の刃部材収容部１２ａに収容された際には、刃部材支持部１４の刃部材支持部側凸部１４ａが、蓋部１２の刃部材収容部１２ａの刃部材収容部側凹部１２ａ１１に嵌るように構成されている。
【００２８】
そのため、本実施形態のラップケース１によれば、刃部材１３を支持させた刃部材支持部１４を蓋部１２の刃部材収容部１２ａにセットして固定する際、刃部材収容部側凹部１２ａ１１とそれに嵌る刃部材支持部側凸部１４ａとにより簡単かつ正確に刃部材１３を支持させた刃部材支持部１４をセットして固定することが可能となり、蓋部１２に対する刃部材１３の取付け作業性を向上させることができる。
【００２９】
また、本実施形態のラップケース１では、刃部材支持部１４におけるラップ滑り止め部材１５に対向する横側面には、刃部材支持部側凹部１４ｂが形成されている。
【００３０】
一方、ラップ滑り止め部材１５の基部１５ａにおける刃部材支持部１４の横側面に対向する横側面には、刃部材支持部側凹部１４ｂに嵌るラップ滑り止め部材側凸部１５ａ１が形成されている。
【００３１】
そのため、本実施形態のラップケース１によれば、刃部材支持部１４とラップ滑り止め部材１５とが蓋部１２の刃部材収容部１２ａに収容された際には、刃部材支持部側凹部１４ｂとラップ滑り止め部材側凸部１５ａ１とが、刃部材１３の移動方向とは垂直をなす水平方向に嵌るため、刃部材１３を支持させた刃部材支持部１４とラップ滑り止め部材１５とを、蓋部１２の刃部材収容部１２ａにより確実に固定することが可能になる。
【００３２】
また、ラップ滑り止め部材１５は、弾性体から構成されているため、ラップ滑り止め部材１５の基部１５ａの横幅を、刃部材収容部１２ａの後側面１２ａ３と刃部材支持部１４の横側面との間の間隔よりも大きくしておき、ラップ滑り止め部材１５の基部１５ａが刃部材収容部１２ａの後側面１２ａ３と刃部材支持部１４の横側面との間の隙間に収縮した状態で収容されるような大きさに形成しておくと、より確実にラップ滑り止め部材１５を刃部材収容部１２ａに収容することができる。
【００３３】
ここで、ラップ滑り止め部材１５の舌片部１５ｂは、図６などに示すように、基部１５ａよりも前後方向の厚さを薄くした形状で構成されており、予めその基部から先端部に向かうに従って刃部材１３に近付くように傾斜した形状に形成されている。
【００３４】
また、ラップ滑り止め部材１５は、図６に示すように刃部材１３よりも長く構成されている。そのため、図６に示すように蓋部１２を収納ケース部１１に対し回動させて一対の起立壁部１１ａ，１１ｂの間の隙間に蓋部１２に設けられた刃部材１３を移動させて円筒状のラップ２から引き出されたラップフィルム２１を切断する際、刃部材支持部１４の先端部は、刃部材１３の先端部よりも先にラップフィルム２１の表面に接触して、刃部材１３によるラップフィルム２１を切断する際のラップフィルム２１の滑り止めを図っている。
【００３５】
次に、以上のように構成された本実施形態のラップケース１の使用方法について説明する。
【００３６】
まず、図７に示すように、ユーザは本実施形態のラップケース１において収納ケース部１１に対し蓋部１２を空け、収納ケース部１１に収容したラップ２から必要とする長さ分だけラップフィルム２１を引き出す。
【００３７】
次に、収納ケース部１１に収容したラップ２から必要とする長さ分だけラップフィルム２１を引き出し、図８に示すように収納ケース部１１に対し蓋部１２を回動させる。
【００３８】
収納ケース部１１に対し蓋部１２をさらに回動させると、図９および図１０に示すように、収納ケース部１１の一対の起立壁部１１ａ，１１ｂが、刃部材収容部１２ａの前側面１２ａ２と後側面１２ａ3の間に進行して、ラップ２から引き出したラップフィルム２１は、一対の起立壁部１１ａ，１１ｂと、ラップ滑り止め部材１５の先端部と刃部材１３の先端部とに接触する。
【００３９】
その際、ラップ滑り止め部材１５の先端部は、ラップフィルム２１に高摩摺力で接触していて、かつ、刃部材１３の方向に向かって傾斜しており、ラップフィルム２１は、刃部材１３の先端部によって鋭角に接触されているため、収納ケース部１１に対し蓋部１２をさらに回動させると、ラップ滑り止め部材１５の先端部は、刃部材１３の方向、すなわち収納ケース部１１の起立壁部１１ｂに向かってさらに傾斜して収納ケース部１１の起立壁部１１ｂにより強い力で弾力的に接触することになる。
【００４０】
これにより、図１１および図１１を拡大した図１２に示すような蓋部１２が収納ケース部１１を完全に閉塞する状況に近付く程、ラップ滑り止め部材１５の先端部が収納ケース部１１の起立壁部１１ｂとの間でラップフィルム２１をより強固な力で挟むことにより滑り止めを行うので、刃部材１３によってラップフィルム２１を切断することができる。
【００４１】
特に、本実施形態のラップケース１では、一対の起立壁部１１ａ，１１ｂのうち少なくとも舌片部１５側の起立壁部１１ｂにおける刃部材１３に対向した内側面と反対側の外側面は、図６や、図１０、図１２、図１４等に示すように、下方（基部）に向かうに従い刃部材１３から離れるように外側、すなわち舌片部１５側に近付くように傾斜させたため、舌片部１５と舌片部１５側の起立壁部１１ｂの外側面は、蓋部１２を閉めるに従ってラップフィルム２１を強固に挟むことになり、収納ケース部１１に蓋部１２を閉めるだけで、確実にラップフィルム２１を切断することができる。
【００４２】
その後、ユーザがラップフィルム２１をさらに引っ張ると、図１３および図１３を拡大した図１４に示すように、収納ケース部１１に収納されたラップ２からラップフィルム２１を切り離すことができる。
【００４３】
また、ラップ滑り止め部材１５の先端部が収納ケース部１１の起立壁部１１ｂとの間でラップフィルム２１を押し付けながら下降していくので、ラップ滑り止め部材１５の先端部とラップフィルム２１との間、およびラップフィルム２１と収納ケース部１１の起立壁部１１ｂとの間で静電気が発生する。
【００４４】
そして、ラップフィルム２１の切り離し後、ユーザが蓋部１２を開けると、ラップ滑り止め部材１５の先端部がラップフィルム２１を介して収納ケース部１１の起立壁部１１ｂとの間で接触している間は、接触時の摩摺によって静電気が発生するので、ラップ滑り止め部材１５の先端部が収納ケース部１１の起立壁部１１ｂから上昇した際も、その接触（摺接）により再度、静電気が発生する。
【００４５】
そのため、蓋部１２の開閉によるラップフィルム２１の先端部がラップフィルム２１を介した収納ケース部１１の起立壁部１１ｂとの間の接触（摺接）により静電気がラップ滑り止め部材１５の先端部とラップフィルム２１の表面との粘着力より大きくなるので、蓋部１２の開放動作によってラップ滑り止め部材１５の先端部が上昇した際、切り離されたラップフィルム２１の先端部は、ラップ滑り止め部材１５の先端部から離れて、静電気により図１５に示すように収納ケース部１１の起立壁部１１ｂに密着することになる。
【００４６】
その結果、収納ケース部１１に収納されたラップ２から次回以降、ラップフィルム２１を引き出して使用する場合には、上述の従来技術（特許４６８９９５３号公報）のようにラップフィルム２１の先端部が起立壁部の前後両側面に設けたラップ滑り止め部に貼りつくことがなくなり、次回以降でもラップフィルム２１を容易に引き出すことができる。
【００４７】
従って、本実施形態のラップケース１によれば、収納ケース部１１の幅方向前端部には、所定間隔を空けて起立した一対の起立壁部１１ａ，１１ｂを設ける一方、収納ケース部１１に対し後端部が回動可能に取り付けられた蓋部１２の刃部材収容部１２ａには、刃部材１３の基部を支持する刃部材支持部１４と、刃部材１３がラップフィルム２１を切断する際、その先端部がラップフィルム２１に２１に接触してラップフィルム２１との間の摩摺力によりラップフィルム２１が滑ることを防止して刃部材１３によるラップフィルム２１の切断を補助する弾性体からなるラップ滑り止め部材１５とが設けられているため、刃部材１３とラップ滑り止め部材１５の取付け作業が容易であり、かつ、ラップフィルム２１の切断後もラップフィルム２１の先端部がラップ滑り止め部１５に貼りつかずに次回以降もラップフィルムが引き出し易くなり、使用勝手を向上させることができる。
【００４８】
特に、本実施形態のラップケース１では、蓋部１２の刃部材収容部１２ａにおいて刃部材支持部１４に対向する上側面の内側には、刃部材収容部側凹部１２ａ１１が設けられている一方、刃部材支持部１４における蓋部１２の刃部材収容部１２ａの上側面の内側に対向する刃部材支持部１４の上側面には、刃部材収容部側凹部１２ａ１１に嵌る刃部材支持部側凸部１４ａが形成されており、刃部材支持部１４が蓋部１２の刃部材収容部１２ａに収容された際には、刃部材支持部１４の刃部材支持部側凸部１４ａが、蓋部１２の刃部材収容部１２ａの刃部材収容部側凹部１２ａ１１に嵌るため、刃部材１３の設置作業および位置決めを容易に行うことができる。
【００４９】
また、本実施形態のラップケース１では、刃部材支持部１４におけるラップ滑り止め部材１５に対向する横側面には、刃部材支持部側凹部１４ｂが形成されている一方、ラップ滑り止め部材１５の基部１５ａにおける刃部材支持部１４の横側面に対向する横側面には、刃部材支持部側凹部１４ｂに嵌るラップ滑り止め部材側凸部１５ａ１が形成されている。
【００５０】
そのため、刃部材支持部１４とラップ滑り止め部材１５とが蓋部１２の刃部材収容部１２ａに収容された際には、刃部材支持部側凹部１４ｂとラップ滑り止め部材側凸部１５ａ１とが嵌るため、刃部材収容部１２ａに刃部材支持部１４とラップ滑り止め部材１５とを確実に収納することができる。
【００５１】
また、本実施形態のラップケース１では、ラップ滑り止め部材１５は、その基部１５ａから舌片部１５ｂの先端部に向かうに従って刃部材１３に近付くように傾斜しているため、舌片部１５ｂの先端部がラップフィルム２１に接触すると、刃部材１３側への傾斜角が徐々に大きくなる。そのため、ラップ滑り止め部材１５は、徐々に強い力でラップフィルム２１を収納ケース部１１の起立壁部１１ｂに押し付けるため、ラップフィルム２１の切断時におけるラップフィルム２１の滑り止め効果を向上させることができる。
【００５２】
また、ラップ滑り止め部材１５の先端部がラップフィルム２１を介して収納ケース部１１の起立壁部１１ｂとの間で接触している間は静電気が発生しており、その静電気がラップ滑り止め部材１５の先端部とラップフィルム２１の表面との粘着力より大きくなる。そのため、蓋部１２の開放動作によってラップ滑り止め部材１５の先端部が上昇した際、切り離されたラップフィルム２１の先端部は、ラップ滑り止め部材１５の先端部から離れて、静電気により収納ケース部１１の起立壁部１１ｂに密着する。その結果、収納ケース部１１に収納されたラップ２から次回以降、ラップフィルム２１を引き出して使用する場合には、ラップフィルム２１の先端部がラップ滑り止め部に貼りつくことを防止でき、ラップフィルム２１の引き出しが容易になり、ラップ２の使用勝手を向上させることができる。
【００５３】
また、本実施形態のラップケース１では、ラップ滑り止め部材１５は刃部材１３よりも長く、蓋部１２を収納ケース部１１に対し回動させて一対の起立壁部１１ａ，１１ｂの間の隙間に蓋部１２に設けられた刃部材１３を移動させて円筒状のラップ２から引き出されたラップフィルム２１を切断する際、刃部材支持部１４の先端部は、刃部材１３の先端部よりも先にラップフィルム２１の表面に接触してその摩摺力によりラップフィルム２１が滑ることを防止するため、ラップフィルム２１を確実に切断することができる。
【００５４】
特に、本実施形態のラップケース１では、一対の起立壁部１１ａ，１１ｂのうち少なくとも舌片部１５側の起立壁部１１ｂにおける刃部材１３に対向した内側面と反対側の外側面は、下方（基部）に向かうに従い刃部材１３から離れるように外側、すなわち舌片部１５側に近付くように傾斜させたため、舌片部１５と舌片部１５側の起立壁部１１ｂの外側面は、蓋部１２を閉めるに従ってラップフィルム２１を強固に挟むことになり、収納ケース部１１に蓋部１２を閉めるだけで、確実にラップフィルム２１を切断することができる。
【００５５】
なお、上記実施形態の説明では、ラップ滑り止め部材１５の舌片部１５ｂは、その基部から先端部に向かうに従って刃部材１３に近付くように傾斜した形状で説明したが、本発明では、これに限らず、刃部材１３がラップ２から引き出されたラップフィルム２１を切断する際、ラップ滑り止め部材１５の舌片部１５ｂがラップフィルム２１に接触して刃部材１３側に曲がり、舌片部１５ｂの少なくとも先端部が収納ケース部１１の幅方向前端部の一対の起立壁部１１ａ，１１ｂのうちのラップ滑り止め部材１５側の起立壁部１１ｂにラップフィルム２１を押し付けることができれば十分で、ラップ滑り止め部材１５の舌片部１５ｂが垂直で、舌片部１５ｂがラップフィルム２１に接触した際に曲がってラップフィルム２１を起立壁部１１ｂに押し付けたり、さらには舌片部１５ｂがラップフィルム２１に接触した際にほとんど曲がらずに、ラップフィルム２１を起立壁部１１ｂとの間で挟むような構成でも良い。
【符号の説明】
【００５６】
１  ラップケース
１１  収納ケース部
１１ａ，１１ｂ  起立壁部
１１ｃ，１１ｃ  ラップ係止部材
１１ｄ  切欠部
１２  蓋部
１２ａ  刃部材収容部
１２ａ１  上側面
１２ａ１１  刃部材収容部側凹部
１２ａ２  前側面
１２ａ３  後側面
１３  刃部材
１４  刃部材支持部
１４ａ  刃部材支持部側凸部
１４ｂ  刃部材支持部側凹部
１５  ラップ滑り止め部材
１５ａ  基部
１５ａ１  ラップ滑り止め部材側凸部
１５ｂ  舌片部
２  ラップ
２１  ラップフィルム
【図１】
2016000620.tif 000003
【図２】
2016000620.tif 000004
【図３】
2016000620.tif 000005
【図４】
2016000620.tif 000006
【図５】
2016000620.tif 000007
【図６】
2016000620.tif 000008
【図７】
2016000620.tif 000009
【図８】
2016000620.tif 000010
【図９】
2016000620.tif 000011
【図１０】
2016000620.tif 000012
【図１１】
2016000620.tif 000013
【図１２】
2016000620.tif 000014
【図１３】
2016000620.tif 000015
【図１４】
2016000620.tif 000016
【図１５】
2016000620.tif 000017